(57)【特許請求の範囲】
【請求項１】
画素電極が配設されている第一の基板と、
前記第一の基板と対向しており、対向電極が配設されている第二の基板と、
前記第一の基板と前記第二の基板との間に形成されている、垂直配向型の液晶層とを、備えており、
前記画素電極は、
配列状に設けられた複数の中実部と、
前記中実部間において、前記中実部の外周部から延設された、枝部とを備えており、
前記枝部の延設方向に延びる仮想線は、前記中実部の中心を通らず、
前記配列状に設けられた中実部の最外側に存する中実部において、
前記枝部は、
当該中実部のさらに外側に向かって、延設されており、
一の前記中実部に形成されている前記枝部は、
４つであり、
前記枝部は、
前記中実部の角以外の位置に設けられており、
一の前記中実部に形成されている前記枝部は、
当該一の中実部の中心を基準として、回転対称性を有する位置に形成されており、
前記回転対称性は、
４回回転対称性である、
ことを特徴とする液晶表示装置。
【請求項２】
一の画素領域に存在する所定数の前記中実部において、隣接する当該中実部同士は、前記枝部を介して相互に接続されている、
ことを特徴とする請求項１に記載の液晶表示装置。
【請求項３】
前記枝部を介して接続されている、隣接する前記中実部の各々における前記枝部の形成位置は、当該中実部の接続部に関して、鏡面対称の位置である、
ことを特徴とする請求項２に記載の液晶表示装置。
【請求項４】
前記液晶層は、
カイラリティの無い液晶材料から構成されている、
ことを特徴とする請求項３に記載の液晶表示装置。
【請求項５】
前記第一の基板には、
ソース配線およびゲート配線がさらに、配設されており、
平面視において、前記枝部は、前記ソース配線および前記ゲート配線のどちらか一方と重複するように、配置されている、
ことを特徴とする請求項１に記載の液晶表示装置。
【請求項６】
複数の前記中実部のうち、
一部の中実部には、反射膜が形成されている、
ことを特徴とする請求項１に記載の液晶表示装置。
【発明の詳細な説明】
【技術分野】
【０００１】
この発明は、液晶表示装置に係る発明であり、特に、複数の中実部から成る画素電極を有する液晶表示装置に関するものである。
【背景技術】
【０００２】
第一の基板とこれと対向する第二の基板との間に液晶層が形成されている、いわゆる液晶表示装置が存在している。さらに、垂直配向型の液晶層を用いた液晶表示装置に関する技術も、既に存在している。垂直配向型の液晶層を用いているのは、広視野角の実現のためである。
【０００３】
ここで、垂直配向型の液晶層とは、負の誘電率異方性を有する液晶分子から構成された、液晶層のことである。そして、第一の基板と第二の基板間において電圧を印加しないときには、当該液晶層を構成する各分子は、両基板に対して垂直に配向している。しかし、第一の基板と第二の基板間において電圧を印加したときには、当該液晶層を構成する各分子は、所定の方向に倒れる。
【０００４】
つまり、上記電圧非印加時には、正面位相差が発生しない。しかし、上記電圧印加時には、液晶分子が所定の方向に倒れることにより、正面位相差が発生する。
【０００５】
垂直配向型の液晶層を用いた液晶表示装置において、全方位にほぼ均等に液晶分子が倒れる放射状傾斜配向が得られれば、対称性に優れた良好な視野角特性を得ることができる。当該放射状傾斜配向を実現する液晶表示装置として、たとえば、特許文献１，２に係わる装置が存在する。
【０００６】
特許文献１，２に係わる液晶表示装置では、導電材料から成る中実部の周辺部に、斜めの電界を発生させることができる。そして、当該斜めの電界により、液晶分子の倒れる方向を制御している。
【０００７】
【特許文献１】特開２００３−４３５２５号公報
【特許文献２】特開２００３−３１５８０３号公報
【発明の開示】
【発明が解決しようとする課題】
【０００８】
しかし、特許文献１に係わる技術では、放射状傾斜配向の中心位置が、中実部の中心からズレることもあった。当該配向中心のズレは、液晶分子が倒れ始める閾値（２．０〜２．５Ｖ程度）以下の電圧を初期電圧として比較的高い電圧（４．５Ｖ以上）を印加した場合に発生しやすい。
【０００９】
このようなズレが発生した場合には、当該中実部内での液晶分子の倒れる方位の比率が、均等でなくなる。つまり、視野角が非対称となり、狭くなる。
【００１０】
放射状傾斜配向の中心位置を、中実部の中心に固定する技術として、特許文献２に係わる技術が存在する。特許文献２に係わる技術では、中実部と対向する対向基板上に突起構造を設けている。
【００１１】
しかし、対向基板に、新たに突起構造を設けることは、液晶表示装置の製造コストの増加につながる。
【００１２】
そこで、本発明は、製造コストを増大させること無く、配向の中心位置を中実部の中心に固定することができる、液晶表示装置を提供することを目的とする。
【課題を解決するための手段】
【００１３】
上記の目的を達成するために、本発明に係る請求項１に記載の液晶表示装置は、画素電極が配設されている第一の基板と、前記第一の基板と対向しており、対向電極が配設されている第二の基板と、前記第一の基板と前記第二の基板との間に形成されている、垂直配向型の液晶層とを、備えており、前記画素電極は、配列状に設けられた複数の中実部と、前記中実部間において、前記中実部の外周部から延設された、枝部とを備えており、前記枝部の延設方向に延びる仮想線は、前記中実部の中心を通らない。さらに、前記配列状に設けられた中実部の最外側に存する中実部において、前記枝部は、当該中実部のさらに外側に向かって、延設されており、一の前記中実部に形成されている前記枝部は、４つであり、前記枝部は、前記中実部の角以外の位置に設けられており、一の前記中実部に形成されている前記枝部は、当該一の中実部の中心を基準として、回転対称性を有する位置に形成されており、前記回転対称性は、４回回転対称性である。
【発明の効果】
【００１４】
本発明の請求項１に記載の液晶表示装置は、画素電極が配設されている第一の基板と、前記第一の基板と対向しており、対向電極が配設されている第二の基板と、前記第一の基板と前記第二の基板との間に形成されている、垂直配向型の液晶層とを、備えており、前記画素電極は、配列状に設けられた複数の中実部と、前記中実部間において、前記中実部の外周部から延設された、枝部とを備えており、前記枝部の延設方向に延びる仮想線は、前記中実部の中心を通らないので、液晶分子の渦巻状の配向を安定して形成することができる。したがって、配向の中心が中実部の中心とズレることを抑制できる。また、当該枝部等を作成するに当たり、製造コストの増大は発生しない。
【発明を実施するための最良の形態】
【００１５】
以下、この発明をその実施の形態を示す図面に基づいて具体的に説明する。
【００１６】
＜実施の形態１＞
本実施の形態では、液晶表示装置の構成部材である画素電極の構造について説明する。図１は、本実施の形態に係わる画素電極の構造を示す、平面図である。
【００１７】
図１に示すように、画素電極は、複数の中実部１と開口部２とから構成されている。また、各中実部１の外周部には、４つの枝部３が形成されている。ここで、枝部３は、略矩形状である。つまり、画素電極は、所定の配列状に設けられた複数の中実部１と、当該中実部１間において、中実部１の外周部から延設された枝部３とを備えている。
【００１８】
ここで、画素電極の主要エリアを構成する部分を、上記中実部１と称する（以下、単に中実部と称する）。また、中実部１間において、当該中実部１の外周部から延設された部分を、上記枝部３と称する（以下、単に枝部３と称する）。図１において、略矩形状の部分が中実部１であり、当該略矩形状の中実部１の外周部から延設されている、部分が枝部３である（図１では、一の中実部１には、４つの枝部が形成されている）。
【００１９】
また、枝部３は、中実部１間に存する枝部３だけでなく、以下のものも含まれる。つまり、図１に示されているように、中実部１は、所定の配列状に設けられている。当該配列状の中実部１の最外側に存する中実部１には、当該中実部１のさらに外側に向かって、延設されている枝部３も形成されている。つまり、配列状に設けられた中実部１の最外側に存する中実部１において、枝部３は、当該中実部１のさらに外側に向かって、延設されている。
【００２０】
また、当該画素電極は、複数の画素領域を構成している。本実施の形態では、３つの中実部１により、一の画素領域が形成されている。つまり、図１に示す、太線の中実部１により、画素領域の一単位が形成されている。図１では、画素領域が、点線にて区画されている。
【００２１】
ここで、一の画素領域に存在する所定数の中実部１において、隣接する中実部１同士は、枝部３を介して、電気的に接続されている。また、後述するように、一の画素領域には、図示していないが一のスイッチング素子（たとえば、ＴＦＴ等）が各々形成されている。
【００２２】
中実部１は、略矩形状である。そして、中実部１を構成する各辺には、各々一の枝部３が形成されている。また、一の中実部１に着目する。すると、図１に示すように、各枝部３の延設方向に延びる仮想線ＡＬは、中実部１の中心を通らない。つまり、当該仮想線ＡＬは、中実部１の中心から所定の距離だけズレて形成されている。
【００２３】
また、一の中実部１に着目する。すると、図１から分かるように、枝部３の延設方向に延びる各仮想線ＡＬにおいて、各仮想線ＡＬに対する中実部３の中心位置は、各仮想線ＡＬを前記中実部１の内方向に見て、同じ側に位置する。つまり、一の中実部１に形成されている枝部３は、２以上であり、当該２以上の枝部３の各仮想線ＡＬに対する中実部１の中心位置は、各仮想線ＡＬを中実部１の内方向に見て、同じ側に存する。
【００２４】
たとえば、図１において、上から２行目、右から２列目に位置する、一の中実部１に着目する。すると、各仮想線ＡＬにおいて、中実部１の内方向に見て、当該中実部１の中心は、当該仮想線の左側に存する。
【００２５】
これに対して、図１において、上から３行目、右から２列目に位置する、一の中実部１に着目する。すると、各仮想線ＡＬにおいて、中実部１の内方向に見て、当該中実部１の中心は、当該仮想線の右側に存する。
【００２６】
なお、本実施の形態では、一の中実部１に形成されている各枝部３は、前記仮想線ＡＬから中実部１の中心までの距離が、略同一となるように、形成されている。たとえば、図１に示すように、一の中実部１に形成されている枝部３は、４つであり、当該枝部３は、仮想線ＡＬから中実部１の中心までの距離が、略同一となるように、形成されている。換言すれば、当該枝部３は、当該中実部１の中心を基準として、略４回対称性を有するように、形成されている。
【００２７】
また、枝部３を介して接続されている、隣接する中実部１の各々に着目する。すると、枝部３の形成位置は、鏡面対称となっている。たとえば、枝部３の形成位置は、当該中実部１の接続部（枝部３）に関して、鏡面対称となっている。
【００２８】
次に、斜め電界による液晶分子の配向のメカニズムについて、図２を用いて説明する。なお、当該メカニズムは、特許文献１，２に記載のものと同様である。ここで、斜め電界は、中実部１のエッジ部（外周部）に起因して発生する。
【００２９】
図２に示すように、第一の基板１０上には、画素電極（図２では、画素電極を構成している中実部１の一部が、図示されている）が配設されている。また、第一の基板１０と対向して、第二の基板２０が配設されている。第二の基板２０上には、対向電極１５が形成されている。
【００３０】
図２に示すように、中実部１と対向電極１５とは、対面している。また、第一の基板１０と第二の基板２０との間には、液晶層３０が形成されている。なお、第一の基板１０と液晶層３０との間、および第二の基板２０と液晶層３０との間には、垂直配向膜（図示せず）が形成されている。
【００３１】
ここで、液晶層３０は、垂直配向型である。
【００３２】
垂直配向型の液晶層は、負の誘電率異方性を有する液晶分子から構成された、液晶層のことである。そして、画素電極（中実部１）と対向電極１５との間に電圧を印加しないときには、当該液晶層３０を構成する各分子は、両基板に対して垂直に配向している（概念図である図３参照）。しかし、画素電極（中実部１）と対向電極１５との間に電圧を印加したときには、当該液晶層３０を構成する各分子は、所定の方向に倒れる（概念図である図４参照）。
【００３３】
つまり、上記電圧非印加時には、正面位相差が発生しない。しかし、上記電圧印加時には、液晶分子が所定の方向に倒れることにより、正面位相差が発生する。
【００３４】
本実施の形態では、電圧印加時において、中実部１のエッジ部に起因して、画素電極（中実部１）と対向電極１５との間に、斜め方向の電界（斜め電界）が発生する。したがって、本実施の形態では、当該斜め電界に起因して、中実部１の外側から内側に向けた方向に、液晶分子は倒れる（図２の符号３０ａ）。
【００３５】
なお、印加電圧が２．５〜３．５Ｖ程度と低い場合、あるいは中実部１外周部の液晶分子が倒れ始める電圧（２．０〜２．５Ｖ程度）からそれより高い電圧を印加した場合においては、液晶分子は中実部１の外周部から倒れ始め、配向変化は中実部１の内部へと伝播する。そして、一の中実部１に着目した場合には、過渡的には、平面視において、液晶分子の放射状傾斜配向が得られる。
【００３６】
図５に、電圧印加時において、一の中実部１において過渡的に形成される、液晶分子の放射状傾斜配向の様子を示す。具体的に、当該配向は、偏向顕微鏡などを用いて、直交ニコル配置で観察したときに見られる消光模様（図５で示した太線）によって、確認される。
【００３７】
ここで、図５では、各枝部３は、中実部１の外周部において、次のように形成されている。つまり、各枝部３の延設方向に延びる各仮想線（図示せず）は、いずれも中実部１の中心を通るように、形成されている。
【００３８】
なお、図５において、液晶分子３１は、釘模様で図示されている。釘模様の頭部は、紙面の手前方向に位置している（以下の、図５に相当する図面においても同様とする）。したがって、釘模様の当該頭部と反対側は、紙面の奥行き方向に位置している（以下の、図５に相当する図面においても同様とする）。
【００３９】
図５から分かるように、各液晶分子３１は、釘模様の頭部が中実部１の中心を向くように、放射状に倒れる。なぜなら、中実部１の中心以外の領域において、当該状態が、液晶分子３１の配向の歪みが最も小さい状態であるからである。
【００４０】
しかし、当該状態は、過渡的なものである。なぜなら、図５のＡ−Ｂ断面を示す図６から分かるように、中実部１の中心付近では、スプレイ配向（つまり、一の液晶分子３１を軸にして、両サイド液晶分子３１が鏡面対称の方向に倒れる配向）が形成されるからである。このように液晶分子３１がスプレイ配向をとった場合には、当該部分の液晶分子３１の弾性エネルギーは高くなる。
【００４１】
ところで、図７に示すように、液晶分子３１がツイスト配向をとった場合を考える。すると、当該ツイスト配向の液晶分子３１の弾性エネルギーは、上記スプレイ配向の弾性エネルギーと比較して、半分程度に低くなる。
【００４２】
ここで、図７は、図８のＡ−Ｂ断面に垂直な断面を示す図である。ツイスト配向は、図７に示すように、Ａ−Ｂ断面線を基準にして、当該Ａ−Ｂ断面線上を進むに連れて、液晶分子の倒れる方向がツイストしている。
【００４３】
上記弾性エネルギーの比較より、図５に示す構造の中実部１（つまり、枝部３の延設方向に延びる各仮想線は、いずれも中実部１の中心を通るように、当該枝部３が形成されている構造。以下単に、図５に示す構造と称する）の場合には、当該中実部１の中心付近において、図７に示すツイスト配向を取ろうとする。
【００４４】
よって、図５に示す構造の中実部１を採用した場合には、最終的には、図８、９に示すように、液晶分子３１は、全体的に右回り（もしくは、左回り）の渦巻状の配向を形成する。具体的に、当該配向は、偏向顕微鏡などを用いて、直交ニコル配置で観察したときに見られる消光模様（図８，９で示した太線）によって、確認される。
【００４５】
ここで、右回り渦巻状配向と、左回り渦巻状配向とは、ほぼ同確率で生じる。ただし、カイラリティを有する液晶材料を用いた場合には、いずれかの方向の渦巻状配向が、より高い確率で発生する。
【００４６】
ところで、図５に示す構造の中実部１の場合には、上述のように、中実部１の中心以外の領域では、本来、渦巻状配向よりも放射状傾斜配向（図５に示す配向）の方が、安定である（歪みが少ない）。
【００４７】
したがって、図８，９に示す渦巻状配向の場合には、中実部１の中心以外の領域では、配向の歪みが生じる。よって、液晶分子が、図８，９の渦巻配向に落ち着かない可能性が高くなる。つまり、配向の中心が中実部１の中心からズレる配向を、液晶分子３１が取る可能性が高くなる。
【００４８】
また、印加電圧が２．５〜３．５Ｖ程度と低い場合、あるいは中実部１外周部の液晶分子が倒れ始める電圧（２．０〜２．５Ｖ程度）からそれより高い電圧を印加した場合においては、配向の配向中心が中実部１の中心に形成されやすい。
【００４９】
しかしながら、液晶分子が倒れ始める閾値（２．０〜２．５Ｖ程度）以下の電圧を初期電圧として比較的高い電圧（４．５Ｖ以上）を印加した場合には、傾斜配向の配向中心は、中実部１の中心からズレやすくなる。これは、当該電圧を印加すると、中実部１中心付近の液晶分子および中実部１外周部の液晶分子が同時に倒れるからである。このように、中実部１の中心付近の液晶分子は、倒れる方向が制御されないため、電圧印加直後は、ランダムな方向に倒れ、配向中心と中実部１の中心との間にズレが生じる（配向中心が複数形成される場合も発生し得る）。
【００５０】
時間の経過と共に、後述する消光模様は大きな曲率の形状に変化し、おおよそ放射状の傾斜配向が得られる。しかし、配向中心は、必ずしも中実部１の中心には移動せず、配向中心と中実部１の中心との間のズレは残存する。
【００５１】
このように、配向の中心位置が、中実部１の中心からズレた場合には、当該中実部１内での液晶分子の倒れる方位の比率が、均等でなくなる。つまり、視野角が非対称となり、狭くなる。
【００５２】
これに対して、本実施の形態に係わる画素電極を採用した場合には、液晶分子が倒れ始める閾値（２．０〜２．５Ｖ程度）以下の電圧を初期電圧として比較的高い電圧（４．５Ｖ以上）を印加した場合においても、配向の中心位置が、中実部１の中心からズレることを抑制できる。
【００５３】
つまり、本実施の形態では、中実部１の外周部には、枝部３が形成されており、各枝部３の延設方向に延びる仮想線ＡＬは、中実部１の中心を通らない。
【００５４】
したがって、図１０に示すように、当該枝部３の形成位置に起因して、中実部１の中心付近では、ツイスト配向を取らせることができる。さらに、中実部１の中心付近以外の領域では、当該枝部３の形成位置に起因して、歪みをより少なくして、液晶分子３の渦巻状配向を可能とすることができる。つまり、枝部３により、渦巻状配向の「すそ」の位置が制御されている。
【００５５】
このように、図８，９に示した場合よりも、本実施の形態に係わる画素電極を採用した方が、より、歪みの少ない状態で渦巻状配向を形成することができる（つまり、より安定して渦巻状配向を形成することができる）。
【００５６】
したがって、余分な製造工程を実施すること無く（つまり、製造コストを増大させること無く）配向の中心が、中実部１の中心以外の位置に形成されることを、抑制することができる。
【００５７】
以上により、本実施の形態に係わる画素電極を用いて液晶表示装置を製造した場合には、当該液晶装置は、全方向に対して視野角の広く、さらに、表示される画像も良好となる。
【００５８】
なお、本実施の形態の中実部１における、図１０に示した液晶分子３１の渦巻状配向は、偏向顕微鏡などを用いて確認された。具体的に、当該配向は、偏向顕微鏡などを用いて、直交ニコル配置で観察したときに見られる消光模様（図１０で示した太線）によって、確認された。
【００５９】
また、一の画素領域に存在する所定数（図１では、３個）の中実部１において隣接するもの同士、枝部３を介して各々電気的に接続されている。したがって、当該所定数の中実部１により、一の画素領域を形成することができる。
【００６０】
また、枝部３を介して接続されている隣接する中実部１の各々に着目する。すると、図１に示したように、枝部３の形成位置は、たとえば中実部１の接続部（枝部３）に関して、鏡面対称である。
【００６１】
したがって、たとえば、図１１に示すような場合と比較して、画素領域内における中実部１の占有面積が大きくなる。図１１は、各中実部１において、枝部３の形成位置が同じ場合である。図１１に示す場合には、枝部３Ｌの形状に起因してデッドスペースが存在する。
【００６２】
上記のように、画素領域における中実部における占有面積が増大するので、表示として有効に寄与する面積が増大し、結果として輝度の高い液晶表示が可能となる。
【００６３】
なお、枝部３を介して接続されている中実部１同士において、枝部３の形成位置を上記鏡面対称とした場合には、一方の中実部１においては、右回り渦巻状配向が形成され、他方の中実部１においては、左回り渦巻状配向が形成される。
【００６４】
当該構成において、液晶層にカイラリティを有する液晶材料を採用した場合を想定する。すると、一方の方向の渦巻状配向（つまり、カイラリティの方向と一致する配向）は、安定的に形成される。しかし、他方の方向の渦巻状配向（つまり、カイラリティの方向と一致しない配向）は、不安定となる。こうような場合には、配向中心が中実部１の中心とズレることがあり得る。
【００６５】
したがって、枝部３を介して接続されている中実部１同士において、枝部３の形成位置を上記鏡面対称とした場合には、液晶材料３０は、カイラリティの無い液晶材料で構成する方が望ましい。これにより、上記構成の中実部１同士において、どちらにおいても安定した渦巻状配向を形成することができる。
【００６６】
また、一の中実部１に形成される枝部３は、一つでも良い。この場合には、当該枝部３は、枝部３の延設方向に延びる仮想線ＡＬが中実部１の中心を通らないような位置に、形成すれば良い。このようにすることにより、図５に示す構造と比較してより、液晶分子の渦巻状配向を安定的に形成することができる。
【００６７】
また、一の中実部１に形成される枝部３は、２以上であっても良い。この場合には、枝部３の延設方向に延びる各仮想線ＡＬにおいて、当該仮想線ＡＬに対する、中実部１の中心位置が、各仮想線ＡＬを中実部１の内方向に見て、同じ側に位置するように、枝部３を形成することが望ましい。
【００６８】
当該構成を採用することにより、一の中実部１に一の枝部３のみが形成される場合よりも、より、渦巻状配向を安定的に形成することができる。
【００６９】
なお、一の中実部１に形成される枝部３は、２以上である場合には、中実部１同士の接続に寄与しない枝部３が存在する可能性がある。当該枝部３は、専ら、渦巻状配向の制御補助のために形成されていると理解できる。
【００７０】
また、上述したように、一の中実部１に４つの枝部３を形成し、かつ、当該枝部３が、仮想線ＡＬから中実部１の中心までの距離が、略同一となるように、形成されている方が、より望ましい。当該構成を採用することにより、最も安定的に、渦巻状配向を形成することができる。
【００７１】
また、枝部３を除く中実部１の形状は、図１等で示した正方形以外に、図１２に示すように、長方形の中実部１を含んでいても良い。ただし、図１２に示すように、長方形の中実部１を導入する場合には、当該中実部１の縦の辺と横の辺との比率は、１：０．５〜１：２の範囲以内であることが望ましい。
【００７２】
もし、中実部１の縦の辺と横の辺との比率が、上記範囲外である場合には、渦巻状配向の中心が、長辺側の枝部３付近に形成される場合が発生するからである（当該事項は実験により確認されている）。当該場合には、液晶表示はざらついて視認される（たとえば、右方向から見て、明るい画素と暗い画素とが混在する）。
【００７３】
また、中実部１の形状は、図１３に示すように、矩形状（正方形または長方形等）であっても良く（図１３のＡ）、また、角部が曲線である矩形状であっても良く（図１３のＢ）、また、円形（または、楕円形）等であっても良い（図１３のＣ）。
【００７４】
中実部１が上記いずれの形状の場合でも、中実部１の中心と中実部１の重心とは、略一致している。
【００７５】
また、中実部１が楕円形状である場合には、当該楕円の長軸と短軸との比率は、１：０．５〜１：２の範囲以内であることが望ましい。
【００７６】
もし、中実部１の長軸と短軸との比率が、上記範囲外である場合には、渦巻状配向の中心が、中実部１の中心からズレて形成される場合が発生するからである（当該事項は実験により確認されている）。当該場合には、液晶表示はざらついて視認される（たとえば、右方向から見て、明るい画素と暗い画素とが混在する）。
【００７７】
なお、一の中実部１の大きさは、以下の範囲以内であることが望ましい。
【００７８】
つまり、正方形の場合には、経験則に従うと、各辺の大きさが、３０ミクロン以上、１００ミクロン以下であることが望ましい。また、矩形状の中実部１の場合には、短辺の大きさは、３０ミクロン以上であることが望ましい。また、長辺の大きさは、１００ミクロン以下であることが望ましい。
【００７９】
また、経験則に従うと、円形の中実部１の場合には、直径が３０ミクロン以上、１００ミクロン以下であることが望ましい。また、同じく経験則に従うと、楕円状の中実部１の場合には、短軸の大きさは、３０ミクロン以上であることが望ましい。また、長軸の大きさは、１００ミクロン以下であることが望ましい。
【００８０】
また、略矩形状の枝部３の各辺の大きさは、以下に示す範囲以内であることが望ましい。
【００８１】
つまり、図１４で定義される枝部３の幅は、５ミクロンから１５ミクロンの範囲以内であることが望ましい。また、図１４で定義される枝部３の長さは、３ミクロンから１０ミクロンの範囲以内であることが望ましい。
【００８２】
枝部３の大きさが小さい場合、枝部周辺の斜め電界による配向制御効果、すなわち渦巻状配向の「すそ」の位置を制御する効果が小さくなる。
【００８３】
また、上述では、一画素領域を３つの中実部１で構成する場合について、言及した。しかし、これに限定する趣旨ではない。つまり、一画素領域は、一以上の中実部１で形成されていれば良い。また、一画素領域を形成する中実部１を一列に配列する場合に言及した。しかし、任意のマトリクス状に配列させても良い。
【００８４】
たとえば、図１５に示すように、６行−２列に、１２個の中実部１を配設することにより、一画素領域を構成しても良い。なお、図１５から分かるように、一画素領域を構成している１２個の中実部１は、隣接するもの同士、枝部３を介して各々、電気的に接続されている。
【００８５】
＜実施の形態２＞
本実施の形態では、実施の形態１に係わる画素電極を備える、液晶表示装置（特に、液晶パネル部）について説明する。
【００８６】
はじめに、第一の基板上の各部材の構成について説明する。図１６は、第一の基板上に形成されている各部材の構成を示す、透視平面図である。
【００８７】
図１６において、最も下層に形成されている部材は、斜線にて図示している。また、当該斜線の部材より上層に存する部材は、太線にて図示している。さらに、当該太線の部材より上層に存する部材は、点線にて図示している。なお、斜線の部材同士、太線の部材同士、点線の部材同士は、各々同一層に形成されている。
【００８８】
図１６では、一画素領域分のみを図示している。したがって、図示していないが、実際には、図１６に示す構造体を単位として、当該構造体がマトリクス状に配列されている。なお、一画素領域は、３つの中実部（点線輪郭）により構成されている。
【００８９】
第一の基板（図示せず）は、ガラス等の透明性を有する基板である。当該第一の基板上には、図１６に示すように、一方向（図１６では、横方向）に、ゲート配線５１が配設されている。ここで、ゲート配線５１は、ゲート電極の役割も担っている。
【００９０】
また、第一の基板上には、図１６に示すように、ゲート配線５１と同方向に、補助容量配線５２が配設されている。また、第一の基板上には、図１６に示すように、補助容量電極５３が配設されている。ここで、補助容量配線５２は、補助容量電極５３と電気的に接続されている。
【００９１】
また、ゲート配線５１、補助容量配線５２、および補助容量電極５３等を覆うように、第一の基板上には、第一の絶縁膜（図示せず）、半導体層（図示せず）、オーミックコンタクト膜（図示せず）が、当該順に形成されている。
【００９２】
また、第一の絶縁膜上には、ソース配線（信号配線）５４が配設されている。ここで、ソース配線５４は、図１６に示すように、ゲート配線５１の配設方向に対して、略垂直な方向（図１６では、縦方向）に配設されている。ここで、ゲート配線５１とソース配線５４とで区画される領域において、一画素領域が構成されている。
【００９３】
また、図１６に示すように、ソース配線５４には、ソース電極５５が接続されている。なお、上記より明らかなように、ゲート配線５１、補助容量配線５２と、ソース配線５４とは、第一の絶縁膜を介して、異なる層に配設されている。したがって、前者２つの配線５１，５２等と、ソース配線５４等とは、電気的に接続されていない。
【００９４】
また、ゲート配線５１とソース配線５４とで区画されている領域内において、ドレイン電極５６が配設されている。ここで、ソース電極５５とドレイン電極５６とは、半導体層（図示せず）を介して接続されている。
【００９５】
図１６において、ゲート配線（特に、ゲート電極として機能する部分）５１、ソース電極５５、ドレイン電極５６、第一の絶縁膜（図示せず）、および半導体層（図示せず）等から、スイッチング素子であるＴＦＴ（Ｔｈｉｎ  Ｆｉｌｍ  Ｔｒａｎｓｉｓｔｏｒ）が構成されている。なお、図１６において、丸で囲まれている部分が、ＴＦＴが構成されている部分である。
【００９６】
また、ソース配線５４、ソース電極５５、およびドレイン電極５６等を覆うように、第一の基板上には、第二の絶縁膜（図示せず）が形成されている。ここで、第二の絶縁膜は、たとえば、無機絶縁膜と有機絶縁膜とを当該順に積層したものである。また、第二の絶縁膜には、コンタクトホール５７が設けられている。ここで、図１６に示すように、コンタクトホール５７は、ドレイン電極５６上の所定の場所に、形成されている。
【００９７】
また、第二の絶縁膜上には、図１６に示す画素電極５８が形成されている。ここで、画素電極５８は、実施の形態１に係わる画素電極である。また、上述の通り、一画素領域は、３つの中実部により構成されている。また、３つの中実部は、隣接するもの同士、枝部を介して接続されている。
【００９８】
また、画素電極５８の一部は、コンタクトホール５７内にも形成されている。したがって、画素電極５８とドレイン電極５６とは、電気的に接続されている。さらに、画素電極５８は、ＩＴＯ（Ｉｎｄｉｕｍ  Ｔｉｎ  Ｏｘｉｄｅ）等の透明導電材料から構成されている。
【００９９】
また、上記各部材が形成された第一の基板上には、垂直配向膜（図示せず）が形成されている。ここで、垂直配向膜として、たとえば、ポリイミド、ポリアミド等を採用することができる。
【０１００】
上記第一の基板の構成において、中実部同士の接続に寄与していない枝部は、以下のような配置に形成されている。つまり、図１６に示すように、当該枝部は、平面視において、前記ソース配線５４および前記ゲート配線５１のどちらか一方と重複するように、配置されている。
【０１０１】
次に、上記構成の第一の基板と対向する、第二の基板の構成について、図面を用いずに説明する。ここで、第二の基板は、ガラス等の透明性を有する基板である。
【０１０２】
第二の基板上には、遮光のためのブラックマトリクスや、赤・緑・青の色材層等が形成されている。また、それらの上には、透明導電材料から成る対向電極が配設されている。また、第二の基板上には、後述する液晶層との界面に相当する層に、垂直配向膜が形成されている。
【０１０３】
上記構成の、第一の基板および第二の基板が用意できたら、次に、第一の基板と第二の基板とを、相互に対向するように、配設する。ここで、対向電極と画素電極５８とが、互いに向かい合うように、両基板を配設する。
【０１０４】
また、第一の基板と第二の基板との間には、液晶層が形成されている。ここで、液晶層は、実施の形態１で説明したように、垂直配向型の液晶材料から構成されている。
【０１０５】
次に、本実施の形態に係わる液晶表示装置（特に、液晶パネル部）の製造方法について、図１６を参照しつつ説明する。
【０１０６】
はじめに、第一の基板上に所定の部材を形成する方法について説明する。
【０１０７】
まず、ガラス等の第一の基板上に、金属クロム膜を成膜する。金属クロム膜の膜厚は、約３００ｎｍである。
【０１０８】
次に、当該金属クロム膜に対して、写真製版処理を施す。これにより、第一の基板上に、上記構成の、ゲート配線５１、補助容量配線５２および補助容量電極５３を形成することができる。
【０１０９】
次に、ゲート配線５１、補助容量配線５２および補助容量電極５３等を覆うように、シリコン窒化膜（第一の絶縁膜と把握できる）を成膜する。ここで、当該シリコン窒化膜の膜厚は、約４００ｎｍである。
【０１１０】
なお、膜中ピンホールなどによる、当該シリコン窒化膜の上層と下層との間での導通を防止するため、シリコン窒化膜を、複数回に分けて成膜した方が良い。たとえば、シリコン窒化膜を３００ｎｍ程度成膜した後に、その上に、さらにシリコン窒化膜を１００ｎｍ程度成膜する方法を採用した方が良い。
【０１１１】
次に、当該シリコン窒化膜上に、アモルファスシリコン膜（半導体層）およびドープドアモルファスシリコン膜（オーミックコンタクト膜）を、当該順に成膜する。ここで、アモルファスシリコン膜の膜厚は、１００ｎｍ程度である。また、ドープドアモルファスシリコン膜の膜厚は、５０ｎｍ程度である。
【０１１２】
次に、アモルファスシリコン膜およびドープドアモルファスシリコン膜に対して、写真製版処理を施す。これにより、当該各膜を所定の形状にパターニングする（ＴＦＴ部の形成を行う）。
【０１１３】
次に、上記各部分を覆うように、再び、金属クロム膜を成膜する。金属クロム膜の膜厚は、３００ｎｍ程度である。
【０１１４】
次に、当該金属クロム膜に対して、写真製版処理を施す。これにより、第一の基板上に、上記構成の、ソース配線５４、ソース電極５５およびドレイン電極５６を形成することができる。
【０１１５】
次に、上記ソース配線５４等を覆うように、シリコン窒化膜（第二の絶縁膜、特に、無機絶縁膜と把握できる）を成膜する。当該シリコン窒化膜の膜厚は、４００ｎｍ程度である。さらに、シリコン窒化膜上に、アクリル樹脂膜（第二の絶縁膜、特に、有機絶縁膜と把握できる）を成膜する。当該アクリル樹脂膜の膜厚は、３ミクロン程度である。
【０１１６】
次に、上記第二の絶縁膜に対して、写真製版処理を施す。これにより、第二の絶縁膜に、コンタクトホール５７を形成する。ここで、コンタクトホール５７の底部から、ドレイン電極５６が露出するように、当該コンタクトホール５７は、形成される。
【０１１７】
次に、第二の絶縁膜上に、ＩＴＯ膜を成膜する。ＩＴＯ膜の膜厚は、１００ｎｍ程度である。ここで、コンタクトホール５７内にも、ＩＴＯ膜を充填する。
【０１１８】
次に、上記ＩＴＯ膜に対して、写真製版処理を施す。これにより、ＩＴＯ膜から成る画素電極５８を形成する。当該画素電極５８は、上述の通り、実施の形態１に係わる画素電極である。ここで、コンタクトホール５７には、ＩＴＯ膜が形成されている。したがって、画素電極５８とドレイン電極５６とは、電気的に接続される。
【０１１９】
また、当該画素電極を構成する中実部において、中実部同士の接続に寄与していない枝部は、以下のような配置に形成されている。つまり、当該枝部は、平面視において、ソース配線５４およびゲート配線５１のいずれか一方と重複するように、配置されている（図１６参照）。
【０１２０】
次に、第二の基板上に所定の部材を形成する方法について、図面を用いず説明する。
【０１２１】
まず、ガラス等の第二の基板上に、金属クロム膜を成膜する。金属クロム膜の膜厚は、約３００ｎｍである。
【０１２２】
次に、当該金属クロム膜に対して、写真製版処理を施す。これにより、第一の基板上に、所定のパターンを有するブラックマトリクスを形成することができる。
【０１２３】
次に、ブラックマトリクスを覆うように、赤の色材層を形成する。当該赤の色材層に対して、写真製版処理を施す。これにより、ブラックマトリクスで区画されている所定の領域に、赤の色材層を残存させる。
【０１２４】
次に、ブラックマトリクスを覆うように、緑の色材層を形成する。当該緑の色材層に対して、写真製版処理を施す。これにより、ブラックマトリクスで区画されている所定の領域に、緑の色材層を残存させる。
【０１２５】
次に、ブラックマトリクスを覆うように、青の色材層を形成する。当該青の色材層に対して、写真製版処理を施す。これにより、ブラックマトリクスで区画されている所定の領域に、青の色材層を残存させる。
【０１２６】
次に、当該赤・緑・青の色材層を覆うように、保護膜を形成する。
【０１２７】
次に、当該保護膜上に、ＩＴＯ膜を成膜する。ＩＴＯ膜の膜厚は、１００ｎｍ程度である。これにより、ＩＴＯ膜から成る対向電極を形成する。
【０１２８】
さて、上記構成の第一の基板および第二の基板が用意できたら、液晶パネル部の組立作業へと移行する。
【０１２９】
具体的に、第一の基板の上記各部材が形成されている側、および第二の基板の上記各部材が形成されている側に、各々垂直配向膜を成膜する。当該垂直配向膜として、たとえばＪＳＲ株式会社のオプトマーＡＬ１Ｈ６５９（登録商標）を、採用することができる。また、当該垂直配向膜の膜厚は、８０ｎｍ程度である。
【０１３０】
次に、第一の基板の上記各部材が形成されている側において、その周辺部にシール剤を塗布する。他方、第二の基板の上記各部材が形成されている側において、樹脂製スペーサを散布する。当該スペーサとして、清水化学工業株式会社のミクロパール（登録商標）を採用することができる。
【０１３１】
次に、第一の基板のシール剤が塗布されている側と、第二の基板のスペーサが散布されている側とを、向き合わせる。そして、当該両基板を熱圧着させる（つまり、貼り合わせる）。ここで、両基板のパネルギャップは、４μｍ程度となっている。
【０１３２】
次に、シール剤に予め設けられている開口部から、上記パネルギャップ内へと、液晶材料を注入する。これにより、両基板間に液晶層を形成することができる。ここで、上述の通り、当該液晶層は、垂直配向型の液晶材料から構成されている。また、本実施の形態では、液晶材料として、図１７に示す特性を有するものを採用する。
【０１３３】
図１７から分かるように、液晶材料は、カイラリティが無い。したがって、右回り渦巻状配向と左回り渦巻状配向との間で、配向安定性の観点から、ほとんど差が生じない。
【０１３４】
さて、上記液晶材料の注入後、シール剤の開口部を封止する。ここで、当該封止処理は、紫外線硬化性樹脂を用いて行うことができる。以上の工程により、液晶パネル部が完成する。
【０１３５】
当該液晶パネル完成後、ゲート配線５１、補助容量配線５２、ソース配線５４、対向電極等に駆動回路を接続し、これらに、所定の電圧を印加できるように、回路構成を形成する。
【０１３６】
また、図１８に示すように、上記構成の液晶パネル６０の両主面（具体的には、第一の基板の各部材が形成されていない面、および第二の基板の各部材が形成されていない面）に、光学フィルム６１を各々設ける。当該光学フィルム６１は、通常、粘着シートなどを用いて、液晶パネル６０に貼り付けられる。
【０１３７】
なお、本実施の形態では、光学フィルム６１として、図１９に示すものを採用する。図１９に示す、二つの光学フィルム６１は共に、一枚の直線偏光板と二枚の位相差フィルムから成る積層構造を有している。ここで、位相差フィルムは、図１９に示すように、面内位相差を有している。そして、一つの光学フィルムは全体として、円偏光板となっている。
【０１３８】
なお、図１９において、透過軸、遅相軸などの方向は、液晶パネルの表示面の法線方向から見た方向である。また、当該表示面の右水平方向を０度とし、反時計回りに角度が増加する。また、位相差は、波長５５０ｎｍの光を用いた場合の値である。
【０１３９】
図１８に示すように、当該光学フィルム６１が配設された液晶パネル６０と、光源６２とを組み合わせる。具体的に、当該液晶パネル６０を、光源６２上に配置させる。なお、外光を利用する反射型液晶表示装置の場合には、当該光源６２は必要でない。
【０１４０】
以上により、液晶表示装置が完成する。
【０１４１】
なお、上記にて液晶表示装置を完成後、各配線等に所定の電圧を印加させた。そして、偏光顕微鏡を用いて、画素電極内の配向状態を観察した。ここで、対向電極と画素電極５８との間には、約４Ｖの電圧が印加されていた。
【０１４２】
当該観察の結果、各中実部では、図１０に示すような、渦巻状配向が観察された。さらに、当該渦巻状配向の配向中心と中実部の中心とが、ほぼ一致していることも観察された。
【０１４３】
また、本実施の形態に係わる液晶表示装置の視野角特性（等コントラスト曲線）の観測結果を、図２０に示す。
【０１４４】
図２０は、液晶表示装置を正面から見た場合の方位が円周上の角度（方位０〜３６０°）を示す図である。中心から外側に向かって動径方向の角度は、傾斜角に相当する。すなわち、中心は液晶表示装置真正面であり、たとえば最外円の右は、液晶表示装置を右方向斜め８０°から見た場合に相当する。円内部の線は、等コントラスト曲線であり、５〜５００まで凡例のコントラスト値の曲線が描かれている。たとえば、右方向斜め８０°から見た場合のコントラストは５０以上である。
【０１４５】
図２０から分かるように、当該液晶表示装置は、対称性に優れた、非常に広い視野角が実現されている。
【０１４６】
また、本実施の形態に係わる液晶表示装置において、第一の基板に着目する。すると、第一の基板上には、ソース配線５４およびゲート配線５１が配設されている。さらに、平面視において、枝部（特に、中実部同士の接続に寄与していない枝部）は、ソース配線５４およびゲート配線５１のいずれか一方と重複するように、配置されている。
【０１４７】
したがって、一画素領域内における、中実部の占有面積を最大にすることができる。よって、輝度の高い液晶表示装置を提供することができる。
【０１４８】
なお、上記より分かるように、ゲート配線５１およびソース配線５４の上方には、有機絶縁膜が形成されている。そして、有機絶縁膜の上方には、画素電極５８（中実部）が形成されている。ここで、上述のように、枝部を、ソース配線５４およびゲート配線５１のいずれか一方と重複するように、配置したとする。
【０１４９】
もし、有機絶縁膜の厚さが薄いと、ゲート配線５１やソース配線５４等に印加される電位により、中実部外周部および枝部周辺の斜め電界が乱れる恐れがある。したがって、当該構成を採用する場合には、当該斜め電界の乱れ防止の観点から、有機絶縁膜は、２ミクロン以上の膜厚であることが望ましい。
【０１５０】
＜実施の形態３＞
本実施の形態では、実施の形態１に係わる画素電極を備える、液晶表示装置（特に、液晶パネル部）について説明する。ここで、実施の形態２では、透過型液晶表示装置に、実施の形態１に係わる画素電極を適用する場合について言及した。本実施の形態では、半透過型液晶表示装置（透過型・反射型の両方の構成を有する液晶表示装置）に、実施の形態１に係わる画素電極を適用する場合について言及する。
【０１５１】
図２１は、本実施の形態に係わる半透過型液晶表示装置が備える、第一の基板上の構成を示す、透視平面図である。
【０１５２】
図２１と図１６とを比較する。すると、両構成は、ほぼ同一であるが、以下の点において、相違する。
【０１５３】
つまり、本実施の形態に係わる第一の基板では、中実部の一部に反射膜が形成されている。さらに、当該反射膜が形成されている中実部の下層に存する有機絶縁膜は、凹凸形状を有している。したがって、当該有機絶縁膜上に形成される反射膜も、凹凸形状を有する。
【０１５４】
本実施の形態においても、一の画素領域に存在する所定数（図２１では、３つ）の中実部により、一画素領域が構成されている。これらの中実部は、隣接するもの同士、枝部を介して電気的に接続されている。
【０１５５】
図２１に示すように、上記所定数の中実部のうち、一部（本実施の形態では、３つの中実部のうち１つ）の中実部上に、反射膜７０を形成する（当該反射膜７０が形成された中実部は、反射電極であると把握できる）。ここで、反射膜７０として、たとえば、アルミニウムや銀などを採用することができる。
【０１５６】
また、反射膜７０が形成されている中実部の下層に存する、有機絶縁膜に注目する。当該有機絶縁膜の表（上）面は、凹凸形状を有している。したがって、図２１に示すように、当該有機絶縁膜上に形成される、中実部の表（上）面および、当該中実部上に形成される反射膜７０の表（上）面も、当該凹凸形状に従った、凹凸形状を有する。
【０１５７】
なお、有機絶縁膜（たとえば、アクリル樹脂）の表面に凹凸形状を形成する方法は、以下の通りである。
【０１５８】
はじめに、第一のアクリル樹脂を１ミクロン程度成膜する。そして、当該第一のアクリル樹脂に対して写真製版処理を施す。これにより、第一のアクリル樹脂上に凹凸形状を形成することができる。次に、第二のアクリル樹脂を１ミクロン程度成膜する。そして、当該第二のアクリル樹脂に対して写真製版処理を施す。これにより、第二のアクリル樹脂上にコンタクトホール５７を形成することができる。
【０１５９】
以上により、コンタクトホール５８と凹凸形状とが形成された有機絶縁膜を形成することができる。
【０１６０】
反射膜７０は、当該凹凸形状を有するので、当該反射膜７０における光の散乱性を増加させることができる。
【０１６１】
図２１において、一画素領域を構成する中実部に着目する。反射膜７０が形成されている中実部の部分（反射部）が反射型であり、反射膜７０が形成されていない中実部の部分（透過部）が透過型である。つまり、一画素領域全体で、半透過型を構成している。
【０１６２】
上記構成の半透過型液晶表示装置の反射部に着目する。すると、当該反射部では、第二の基板側からの入射光は、入射時と反射時とで、２度液晶層内を通過する。つまり、当該入射光は、当該液晶層において２度、位相差が生じる。
【０１６３】
これに対して、上記構成の半透過型液晶表示装置の透過部に着目する。すると、当該透過部では、透過光は、１度液晶層内を通過する。つまり、当該入射光は、当該液晶層において１度、位相差が生じる。
【０１６４】
以上から明らかなように、反射部における表示特性と、透過部における表示特性とは、異なる。
【０１６５】
当該表示特性の相違の発生を抑制するために、反射部上の液晶層の厚さを、透過部上の液晶層の厚さよりも、薄くする必要がある。
【０１６６】
上記のように、液晶層の厚さに差を設ける方法として、たとえば、画素電極より下層に存する有機絶縁膜の厚さに差を設ける方法がある。また、第二の基板上に段差を設ける方法もある。
【０１６７】
なお、本実施の形態では、第二の基板上に、２ミクロンの段差を設けた。したがって、透過部上の液晶層の厚さは、４ミクロンとなっており、反射部上の液晶層の厚さは、２ミクロンとなっている。
【０１６８】
図２１において、上記以外の（本実施の形態で詳細に説明した以外の）構成は、図１６を用いて説明した構成の内容と同様である。また、液晶層や第二の基板の構成において、上述した以外の構成は、実施の形態２で説明した構成と同様である。
【０１６９】
したがって、これら同様な構成については、ここでの説明は省略する。なお、上述の通り、画素電極５８の構成は、実施の形態１で説明した構成である。また、図２１において、補助容量電極５３、コンタクトホール５７等の図示は、省略している。
【０１７０】
また、本実施の形態に係わる半透過型液晶表示装置においても、図１８に示したように、液晶パネル６０には、２つの光学フィルム６１が貼り付けられている。そして、当該液晶パネル６０と光源６２とが、組み合わされている。
【０１７１】
なお、本実施の形態では、光学フィルム６１として、図２２に示すものを採用する。
【０１７２】
第一の基板側に貼り付けられている光学フィルム６１は、一枚の直線偏光板と二枚の位相差フィルムから成る積層構造を有している。ここで、位相差フィルムは、図２２に示すように、面内位相差を有している。そして、一つの光学フィルムは全体として、円偏光板となっている。
【０１７３】
また、第二の基板側に貼り付けられている光学フィルム６１は、一枚の直線偏光板と三枚の位相差フィルムから成る積層構造を有している。ここで、二枚の位相差フィルムは、図２２に示すように、面内位相差を有している。そして、１枚の位相差フィルムは、図２２に示すように、厚さ方向の位相差を有している。
【０１７４】
なお、図２２において、透過軸、遅相軸などの方向は、液晶パネルの表示面の法線方向から見た方向である。また、当該表示面の右水平方向を０度とし、反時計回りに角度が増加する。また、位相差は、波長５５０ｎｍの光を用いた場合の値である。
【０１７５】
本実施の形態では、一部の中実部には、反射膜が形成されている。したがって、半透過型液晶表示装置においても、外光の環境によらず、実施の形態１，２で説明した効果を奏することができる。
【０１７６】
なお、本実施の形態に係わる半透過型液晶表示装置において、各配線５１，５４等に所定の電圧を印加させた。そして、偏光顕微鏡を用いて、画素電極内の配向状態を観察した。当該観察の結果、各中実部では、図１０に示すような、渦巻状配向が観察された。さらに、当該渦巻状配向の配向中心と中実部の中心とが、ほぼ一致していることも観察された。
【０１７７】
ここで、透過部の中実部は、透過光源を用いて観察した。また、反射型の中実部は、落射光源を用いて観察した。いずれの中実部においても、上記観察結果が得られた。
【０１７８】
また、本実施の形態に係わる半透過型液晶表示装置の視野角特性（等コントラスト曲線）を観測した。当該観測は、光源点灯時と、光源を消灯し外光下とで、行った。両方の場合において、当該半透過型液晶表示装置は、対称性に優れた、非常に広い視野角が実現されていることが、観測できた。
【図面の簡単な説明】
【０１７９】
【図１】実施の形態１に係わる画素電極の構成を示す平面図である。
【図２】中実部の外周部に起因して発生する斜め電界により、液晶分子が所定の方向に倒れる様子を示す図である。
【図３】電圧非印加時の液晶分子の配向の様子を概念的に示す図である。
【図４】電圧印加時の液晶分子の配向の様子を概念的に示す図である。
【図５】放射状傾斜配向の様子を示す概念図である。
【図６】スプレイ配向を示す概念図である。
【図７】ツイスト配向を示す概念図である。
【図８】渦巻状配向の様子を示す概念図である。
【図９】渦巻状配向の様子を示す概念図である。
【図１０】実施の形態１に係わる中実部における、渦巻状配向の様子を示す概念図である。
【図１１】画素領域において、中実部の占有面積が劣化した場合を示す図である。
【図１２】実施の形態１に係わる画素電極の、他の構成を示す平面図である。
【図１３】実施の形態１に係わる中実部のバリエーションを説明するための図である。
【図１４】中実部の所定の寸法の定義を説明するための図である。
【図１５】一画素領域を複数の中実部で構成している、バリエーションを示す図である。
【図１６】実施の形態２に係わる液晶表示装置が備える、第一の基板上の構成を示す透視平面図である。
【図１７】液晶材料の特性を示す図である。
【図１８】液晶パネル、光学フィルム、および光源の配設の様子を示す斜視図である。
【図１９】光学フィルムの構成を示す図である。
【図２０】実施の形態２に係わる液晶表示装置の、等コントラスト曲線の様子を示す図である。
【図２１】実施の形態３に係わる液晶表示装置が備える、第一の基板上の構成を示す透視平面図である。
【図２２】光学フィルムの構成を示す図である。
【符号の説明】
【０１８０】
１  中実部、２  開口部、３  枝部、１０  第一の基板、１５  対向電極、２０  第二の基板、３０  液晶層、３１液晶分子、５１  ゲート配線、５２  補助容量配線、５３  補助容量電極、５４  ソース配線、５５  ソース電極、５６  ドレイン電極、５７  コンタクトホール、５８  画素電極、６０  液晶パネル、６１  光学フィルム、６２  光源、７０  反射膜、ＡＬ  仮想線。
【図１】
0004745013.tif 000002
【図２】
0004745013.tif 000003
【図３】
0004745013.tif 000004
【図４】
0004745013.tif 000005
【図５】
0004745013.tif 000006
【図６】
0004745013.tif 000007
【図７】
0004745013.tif 000008
【図８】
0004745013.tif 000009
【図９】
0004745013.tif 000010
【図１０】
0004745013.tif 000011
【図１１】
0004745013.tif 000012
【図１２】
0004745013.tif 000013
【図１３】
0004745013.tif 000014
【図１４】
0004745013.tif 000015
【図１５】
0004745013.tif 000016
【図１６】
0004745013.tif 000017
【図１７】
0004745013.tif 000018
【図１８】
0004745013.tif 000019
【図１９】
0004745013.tif 000020
【図２０】
0004745013.tif 000021
【図２１】
0004745013.tif 000022
【図２２】
0004745013.tif 000023